(57)【要約】      （修正有）【課題】絶縁性本体にしっかりと固着でき、ほこりを通さない良好な効果が得られる防塵片を有するスイッチを提供する。【解決手段】収納スペースが形成される絶縁性本体１と、絶縁性本体に取り付けられる固定端子２と、可動端子３と、絶縁性本体の収納スペースに収納される防塵部材４と、を備える。絶縁性本体は、前表面及び複数の側壁を有する。固定端子は、中央接触部２１１が設けられる中央端子２１と、固定接触部２２１が設けられる周辺端子２２と、を有する。可動端子は、周辺端子の固定接触部と接触して保持される周辺接触部３２と、中央端子の中央接触部から離れ、中央接触部と接触可能な可動接触部３１と、を有する。防塵部材は、可動端子の上に位置する挿入部４１と、絶縁性本体の前表面に付着される周辺部４３と、を有する。【選択図】図２
0003182958.tif 000002
【実用新案登録請求の範囲】
【請求項１】
収納スペースが形成され、前表面及び複数の側壁を有する絶縁性本体と、
前記絶縁性本体に取り付けられ、中央接触部が設けられる中央端子と固定接触部が設けられる周辺端子とを有する固定端子と、
前記絶縁性本体に取り付けられ、前記周辺端子の固定接触部と接触して保持される周辺接触部と、前記中央端子の中央接触部から離れ、前記中央接触部と接触可能な可動接触部と、を有する可動端子と、
前記絶縁性本体の収納スペースに収納され、前記可動端子の上に位置する挿入部と、前記絶縁性本体の前表面に付着される周辺部と、を有する防塵部材と、
を備え、
前記絶縁性本体の複数の側壁のうちの少なくとも一つの側壁の内表面及び前記防塵部材の挿入部の一方には、位置決め溝が形成され、他方には、前記位置決め溝に向かって突出して前記位置決め溝と係合する位置決め部が設けられることを特徴とするスイッチ。
【請求項２】
前記位置決め溝が、前記絶縁性本体の複数の前記側壁のうちの一対の対応する側壁の内表面に形成され、前記位置決め部が、前記防塵部材の挿入部に設けられ、前記挿入部が、弾性の基部と、前記基部から後向きに突出する押圧部と、を有し、前記防塵部材が前記基部から前向きに突出する駆動部を有し、前記駆動部が後向きに押圧される時、前記弾性の基部によって、前記押圧部が後向きに移動し、前記可動端子の可動接触部を押圧することを特徴とする請求項１に記載のスイッチ。
【請求項３】
前記絶縁性本体の前表面には、複数の係合部が設けられ、前記防塵部材が、前記挿入部から外周囲へ突出する周辺部を有し、前記周辺部には、前記絶縁性本体の係合部に対応する複数の角状部が設けられることを特徴とする請求項２に記載のスイッチ。
【請求項４】
前記挿入部と駆動部との間には収納溝が形成され、前記スイッチは、操作部と前記収納溝に挿入される実装部とが設けられる操作体を有することを特徴とする請求項３に記載のスイッチ。
【請求項５】
前記スイッチは前記絶縁性本体に取り付けられる蓋体を有し、前記蓋体には、前記操作体の操作部を通す貫通孔が形成されることを特徴とする請求項４に記載のスイッチ。
【請求項６】
前記蓋体は、前記防塵部材を覆う主体板と、前記主体板から折り曲げられる一対の側板と、を有し、前記絶縁性本体の係合部及び前記蓋体の主体板の一方には、係止部が設けられ、他方には、前記係止部と係合する係止溝が形成されることを特徴とする請求項５に記載のスイッチ。
【考案の詳細な説明】
【技術分野】
【０００１】
本考案は、スイッチに関し、特に、電子装置に用いる押圧可能な防塵スイッチに関するものである。
【背景技術】
【０００２】
従来技術のスイッチは、開口する箱形の絶縁性本体と、前記絶縁性本体に固定される中央固定端子及び周辺固定端子と、可動端子と、前記絶縁性本体を覆ってほこりを通さないための防塵片と、前記絶縁性本体に取り付けられる金属蓋体と、前記金属蓋体から突出する押圧体と、を備える。押圧体が押圧される時、可動端子が中央固定端子と接触する。前記防塵片には、係合部材が設けられる。前記絶縁性本体の開口には前記係合部材と係合する係合溝が形成される。前記防塵片は、前記係合部材と係合溝との係合によって、前記絶縁性本体に位置決めされる。
【考案の概要】
【考案が解決しようとする課題】
【０００３】
前記防塵片が薄いので、防塵片は、前記係合部材と係合溝との係合によって、前記絶縁性本体にしっかりと固着できない。このため、ほこりを通さない良好な効果が得られない。
【０００４】
そこで本考案は、上述される従来技術の問題に鑑み、絶縁性本体にしっかりと固着でき、ほこりを通さない良好な効果が得られる防塵片を有するスイッチを提供することを目的とする。
【課題を解決するための手段】
【０００５】
前記目的を達成するために、本考案のスイッチは、収納スペースが形成される絶縁性本体と、前記絶縁性本体に取り付けられる固定端子と、可動端子と、前記絶縁性本体の収納スペースに収納される防塵部材と、を備える。前記絶縁性本体は、前表面及び複数の側壁を有する。前記固定端子は、中央接触部が設けられる中央端子と、固定接触部が設けられる周辺端子と、を有する。前記可動端子は、前記周辺端子の固定接触部と接触して保持される周辺接触部と、前記中央端子の中央接触部から離れ、前記中央接触部と接触可能な可動接触部と、を有する。前記防塵部材は、前記可動端子の上に位置する挿入部と、前記絶縁性本体の前表面に付着される周辺部と、を有する。前記絶縁性本体の複数の側壁のうちの少なくとも一つの側壁の内表面及び前記防塵部材の挿入部の一方には、位置決め溝が形成され、他方には、前記位置決め溝に向かって突出して前記位置決め溝と係合する位置決め部が設けられる。
【考案の効果】
【０００６】
従来技術と比べると、本考案は以下の長所を有する。本考案の位置決め溝と位置決め部とは、絶縁性本体の側壁の内表面と前記防塵部材の挿入部とに設けられる。これにより、防塵部材は、絶縁性本体にしっかりと固着できる。
【図面の簡単な説明】
【０００７】
【図１】本考案のスイッチの組立斜視図である。
【図２】図１に示すスイッチの分解斜視図である。
【図３】図２に示すスイッチを別の角度から見た分解斜視図である。
【図４】図２に示す固定端子が絶縁性本体に取り付けられる斜視図である。
【図５】図１に示すスイッチを線Ａ−Ａに沿って切ったときの断面図である。
【図６】図１に示す蓋体が絶縁性本体から離れるときの斜視図である。
【考案を実施するための形態】
【０００８】
図１〜図６を参照すると、本考案のスイッチ１００は、回路基板（図示せず）に取り付けられ、絶縁性本体１と、前記絶縁性本体１に取り付けられる固定端子２と、可動端子３と、防塵部材４と、操作体５と、蓋体６と、を備える。
【０００９】
図２〜図６に示すように、絶縁性本体１は、開口部１１４が形成される箱状に製造される。絶縁性本体１は、前表面１１と、後壁１２と、前記後壁１２から前向きに延在して前表面１１に結合する複数の側壁１３と、を有する。前記後壁１２及び複数の側壁１３によって、前記開口部１１４に連通する収納スペース１６が形成される。前記絶縁性本体１の前表面１１には、複数の係合部１１１が設けられる。各係合部１１１には、後壁１２から離れる方向に突出する係止部１１２が設けられる。前記複数の側壁１３のうちの一対の対向する側壁１３の内表面には、位置決め溝１１３が形成される。前記一対の対向する側壁１３の外表面には、複数の突出部１３１が設けられる。図３に示すように、絶縁性本体１の後部には、前記後壁１２に隣接する階段部１７が設けられる。
【００１０】
前記固定端子２は、中央端子２１と、周辺端子２２と、を有する。前記中央端子２１は、中央接触部２１１と、前記中央接触部２１１から直角に折り曲げられる半田接続部２１２と、を有する。前記周辺端子２２は、一対の固定接触部２２１と、前記一対の固定接触部２２１が位置する平面と直交する平面に位置する一対の半田接続片２２２と、を有する。
【００１１】
前記可動端子３は、ドーム状に形成され、可動接触部３１と、周辺接触部３２と、を有する。
【００１２】
前記防塵部材４は、弾性の基部４８を含む挿入部４１と、基部４８の後端から径方向外側に突出するように形成され且つ前記絶縁性本体１の前表面１１に付着される周辺部４３と、前記基部４８から前向きに突出する駆動部４２と、前記挿入部４１と駆動部４２との間に形成される収納溝４７と、を有する。前記挿入部４１には、前記基部４８から後向きに突出する押圧部４４と、外側へ突出する複数の位置決め部４５と、が設けられる。なお、前記挿入部４１には位置決め溝１１３が形成され、一対の前記側壁１３には位置決め部４５が設けられていてもよい。防塵部材４には、係合部１１１と係合するための角状部４６が設けられている。
【００１３】
前記操作体５は、操作部５１と、前記収納溝４７に挿入される実装部５２と、を有する。
【００１４】
前記蓋体６は、前記防塵部材４を覆う主体板６１と、前記主体板６１から折り曲げられる一対の側板６２と、を有する。前記蓋体６の主体板６１には、操作体５の操作部５１を通す貫通孔６１１が形成される。前記蓋体６の主体板６１には、前記複数の係止部１１２と係合する複数の係止溝６１２が形成される。他の実施形態において、複数の係止溝６１２が絶縁性本体１の前表面１１に形成され、複数の係止部１１２が蓋体６の主体板６１に設けられていてもよい。各側板６２には、凹所６２１と、半田接続脚６２２と、が設けられる。
【００１５】
前記スイッチ１００を組み立てる時、前記固定端子２は、前記絶縁性本体１の後壁１２に固着される。前記中央端子２１の中央接触部２１１が、前記一対の固定接触部２２１の間に配置される。前記固定端子２の半田接続部２１２と半田接続片２２２とは、前記絶縁性本体１の階段部１７に設けられている貫通孔を通して外部に露出する。前記可動端子３は、前記固定端子２の前に取り付けられる。前記可動端子３の周辺接触部３２が、前記固定端子２の固定接触部２２１と接触して保持される。前記可動端子３の可動接触部３１が、前記固定端子２の中央接触部２１１から離れて保持される。
【００１６】
前記防塵部材４は、絶縁性本体１に取り付けられる。前記防塵部材４の押圧部４４が、前記可動端子３の可動接触部３１の前に位置し、前記複数の位置決め部４５が、前記絶縁性本体１の位置決め溝１１３と係合し、前記周辺部４３が絶縁性本体１の前表面１１に付着し、前記複数の角状部４６が、前記複数の係合部１１１と係合する。前記周辺部４３は、前記前表面１１と、位置決め部４５及び位置決め溝１１３の係合と、によって、回路基板と接触しない。位置決め部４５と位置決め溝１１３との係合によって、前記防塵部材４が前記絶縁性本体１に対して回転できない。前記操作体５の実装部５２が、前記防塵部材４の収納溝４７に挿入され、前記駆動部４２が前記操作部５１に挿入される。前記蓋体６の主体板６１が、前記防塵部材４の周辺部４３に付着され、前記操作部５１が貫通孔６１１から前向きに突出する。前記側板６２の凹所６２１が前記絶縁性本体１の突出部１３１と係合する。他の実施形態において、前記凹所６２１が絶縁性本体１に形成され、前記突出部１３１が前記蓋体６に設けられていてもよい。
【００１７】
前記操作部５１と前記駆動部４２とが後向きに押圧される時、前記弾性の基部４８によって、前記押圧部４４が後向きに移動し、前記可動端子３の可動接触部３１を押圧する。押圧される可動接触部３１が、固定端子２の中央接触部２１１と接触する。前記操作部５１と前記駆動部４２とを後向きに押圧する力を除去すると、前記弾性の基部４８によって、前記押圧部４４と可動端子３とは、元の状態に戻る。
【００１８】
以上、本考案について好ましい実施形態を参照して詳細に説明したが、実施形態はあくまでも例示的なものであり、これらに限定されるものではない。また上述の説明において、本考案に基づき成し得る細部の修正或いは変更などは、いずれも本考案の技術的範囲に属するものである。
【符号の説明】
【００１９】
１００  スイッチ
１  絶縁性本体
１１  前表面
１１１  係合部
１１２  係止部
１１３  位置決め溝
１１４  開口部
１２  後壁
１３  側壁
１３１  突出部
１６  収納スペース
１７  階段部 
２  固定端子
２１  中央端子
２１１  中央接触部
２１２  半田接続部
２２  周辺端子
２２１  固定接触部
２２２  半田接続片
３  可動端子
３１  可動接触部
３２  周辺接触部
４  防塵部材
４１  挿入部
４２  駆動部
４３  周辺部
４４  押圧部
４５  位置決め部
４６  角状部
４７  収納溝
４８  基部
５  操作体
５１  操作部
５２  実装部
６  蓋体
６１  主体板
６１１  貫通孔
６１２  係止溝
６２  側板
６２１  凹所
６２２  半田接続脚
【図１】
0003182958.tif 000003
【図２】
0003182958.tif 000004
【図３】
0003182958.tif 000005
【図４】
0003182958.tif 000006
【図５】
0003182958.tif 000007
【図６】
0003182958.tif 000008